(57)【要約】【課題】クッションユニットを車体幅方向の中央部に配置することができる電気自動二輪車を提供する。【解決手段】車体前後方向に延びる車体フレームＦにピボット軸１２が取り付けられ、このピボット軸１２を中心に回動するスイングアーム１３にパワードライブユニット１８及び走行用の動力発生モータ１６を取り付け、スイングアーム１３と車体フレームＦとをクッションユニット１４で接続し、バッテリ９からの電源をパワードライブユニット１８を介して動力発生モータ１６に供給する電気自動二輪車であって、車体フレームＦ側にクッションユニット１４の上端部１４ａが取り付けられ、クッションユニット１４の下端部１４ｂをスイングアーム１３の前部であって、クッションユニット１４の上端部１４ａよりも車体前後方向前側に配置した。【選択図】図１
2010083363.tif 000002
【特許請求の範囲】
【請求項１】
車体前後方向に延びる車体フレームにピボット軸が取り付けられ、このピボット軸を中心に回動するスイングアームにパワードライブユニット及び走行用の動力発生モータを取り付け、前記スイングアームと前記車体フレームとをクッションユニットで接続し、バッテリからの電源を前記パワードライブユニットを介して動力発生モータに供給する電気自動二輪車であって、
前記車体フレーム側に前記クッションユニットの上端部が取り付けられ、クッションユニットの下端部を前記スイングアームの前部であって、前記クッションユニットの上端部よりも車体前後方向前側に配置したことを特徴とする電気自動二輪車。
【請求項２】
前記スイングアームは、前記ピボット軸から後輪を避けるように車体幅方向の側方に斜めに延びる傾斜部を備え、この中空形状のスイングアーム内の傾斜部にパワードライブユニットを配置するとともに、前記傾斜部よりも車体内側に前記スイングアームの下端部を取り付けたことを特徴とする請求項１に記載の電気自動二輪車。
【請求項３】
前記パワードライブユニットは、スイングアームの本体部に密着して取り付けられ、パワードライブユニットで生じる熱を前記本体部に熱伝達可能に構成されていることを特徴とする請求項２に記載の電気自動二輪車。
【請求項４】
前記フレームは、少なくともヘッドパイプから車体前後方向に延びるセンターフレームと、このセンターフレームの後端から車体後方に延びる左右一対のリアフレームとを有し、このリアフレームには、左右を繋ぐクロスメンバが設けられ、このクロスメンバの車幅方向中央の位置に、前記クッションユニットの上端部を取り付ける支持ブラケットを設けたことを特徴とする請求項１に記載の電気自動二輪車。
【請求項５】
前記クッションユニットの下端部は、前記スイングアームの前部下方であって、車幅方向中央に位置する箇所に取り付けられ、前記クッションユニットが車体幅方向の中央位置にて前記下端部から後方斜め上側に傾斜して取り付けられていることを特徴とする請求項４に記載の電気自動二輪車。
【発明の詳細な説明】
【技術分野】
【０００１】
本発明は、車体フレームとスイングアームとを接続するクッションユニットを備えた電気自動二輪車に関する。
【背景技術】
【０００２】
バッテリを搭載し、このバッテリから供給される電源によって走行用の動力発生モータを駆動する電気自動二輪車が知られている。このような電気自動二輪車では、スイングアームがピボット軸から後輪を避けて車体左側方に延在し、その後端部で後輪を左側から支持している。また、スイングアームの中空内部には、バッテリからの電源によって駆動する走行用の動力発生モータが組み込まれている。さらに、車体フレームとスイングアームの後端部との間には、これらを接続する態様でクッションユニットが設けられており、このクッションユニットが後輪の上下振動を吸収するようになっている（例えば、特許文献１参照）
【０００３】
【特許文献１】特許第３３１７５６０号明細書
【発明の開示】
【発明が解決しようとする課題】
【０００４】
後輪は、車体幅方向の中央部に配置されていることから、効率よく上下振動を吸収するためには、クッションユニットも車体幅方向の中央部に配置するのが好ましい。
しかしながら、クッションユニットの下端部をスイングアームの後端部に取り付ける場合、クッションユニットは後輪を避けた位置であって、車体左側に偏って配置しなければならない。
【０００５】
本発明は、上述した事情を鑑みてなされたものであり、クッションユニットを車体幅方向の中央部に配置することができる電気自動二輪車を提供することにある。
【課題を解決するための手段】
【０００６】
上述課題を解決するため、本発明は、車体前後方向に延びる車体フレームにピボット軸が取り付けられ、このピボット軸を中心に回動するスイングアームにパワードライブユニット及び走行用の動力発生モータを取り付け、前記スイングアームと前記車体フレームとをクッションユニットで接続し、バッテリからの電源を前記パワードライブユニットを介して動力発生モータに供給する電気自動二輪車であって、前記車体フレーム側に前記クッションユニットの上端部が取り付けられ、クッションユニットの下端部を前記スイングアームの前部であって、前記クッションユニットの上端部よりも車体前後方向前側に配置したことを特徴とする。
この構成によれば、クッションユニットの下端部を後輪の前方であって車体幅方向の中央部に配置することができる。
【０００７】
また、前記スイングアームは、前記ピボット軸から後輪を避けるように車体幅方向の側方に斜めに延びる傾斜部を備え、この中空形状のスイングアーム内の傾斜部にパワードライブユニットを配置するとともに、前記傾斜部よりも車体内側に前記スイングアームの下端部を取り付けるようにしてもよい。
この構成によれば、パワードライブユニットを避けてスイングアームの下端部を車体幅方向の中央部に配置することができる。
【０００８】
さらに、前記パワードライブユニットは、スイングアームの本体部に密着して取り付けられ、パワードライブユニットで生じる熱を前記本体部に熱伝達可能に構成されていてもよい。
この構成によれば、パワードライブユニットをスイングアームの中空内部に取り付けたとしても、本体部を介して熱を放熱させることができる。
【０００９】
また、前記フレームは、少なくともヘッドパイプから車体前後方向に延びるセンターフレームと、このセンターフレームの後端から車体後方に延びる左右一対のリアフレームとを有し、このリアフレームには、左右を繋ぐクロスメンバが設けられ、このクロスメンバの車幅方向中央の位置に、前記クッションユニットの上端部を取り付ける支持ブラケットを設けることもできる。
この構成によれば、クッションユニットの上端部を車幅方向中央に取り付けることができる。
【００１０】
さらにまた、前記クッションユニットの下端部は、前記スイングアームの前部下方であって、車幅方向中央に位置する箇所に取り付けられ、前記クッションユニットが車体幅方向の中央位置にて前記下端部から後方斜め上側に傾斜して取り付けられていてもよい。
この構成によれば、クッションユニットの下端部を車幅方向中央に取り付けることができる。
【発明の効果】
【００１１】
本発明では、車体前後方向に延びる車体フレームにピボット軸が取り付けられ、このピボット軸を中心に回動するスイングアームにパワードライブユニット及び走行用の動力発生モータを取り付け、前記スイングアームと前記車体フレームとをクッションユニットで接続し、バッテリからの電源を前記パワードライブユニットを介して動力発生モータに供給する電気自動二輪車であって、前記車体フレーム側に前記クッションユニットの上端部が取り付けられ、クッションユニットの下端部を前記スイングアームの前部であって、前記クッションユニットの上端部よりも車体前後方向前側に配置しているので、クッションユニットの下端部を後輪の前方であって車体幅方向の中央部に取り付けることができ、クッションユニット全体を車体幅方向の中央部に配置することができる。その結果、クッションユニットによって効果的に後輪の上下振動を吸収することができる。
【００１２】
また、前記スイングアームは、前記ピボット軸から後輪を避けるように車体幅方向の側方に斜めに延びる傾斜部を備え、この中空形状のスイングアーム内の傾斜部にパワードライブユニットを配置するとともに、前記傾斜部よりも車体内側に前記スイングアームの下端部を取り付けているので、パワードライブユニットを車体幅方向の側方にずらして配置することができる。そのため、スイングアームの下端部を車体内側に取り付けることができ、クッションユニット全体を車体幅方向の中央部に配置することができる。
【００１３】
さらに、前記パワードライブユニットは、スイングアームの本体部に密着して取り付けられ、パワードライブユニットで生じる熱を前記本体部に熱伝達可能に構成されているので、パワードライブユニットをスイングアームの中空内部に取り付けたとしても、本体部を介して熱を放熱させることができる。そのため、パワードライブユニットをスイングアームの傾斜部の中空内部に配置することができる。その結果、この傾斜部よりも車体内側にスイングアームの下端部を配置することができるので、クッションユニット全体を車体幅方向の中央部に配置することができる。
【００１４】
また、前記フレームは、少なくともヘッドパイプから車体前後方向に延びるセンターフレームと、このセンターフレームの後端から車体後方に延びる左右一対のリアフレームとを有し、このリアフレームには、左右を繋ぐクロスメンバが設けられ、このクロスメンバの車幅方向中央の位置に、前記クッションユニットの上端部を取り付ける支持ブラケットを設けているので、クッションユニットの上端部を車幅方向中央に取り付けることにより、クッションユニットを車幅方向中央に取り付けることが可能になる。
【００１５】
さらにまた、前記クッションユニットの下端部は、前記スイングアームの前部下方であって、車幅方向中央に位置する箇所に取り付けられ、前記クッションユニットが車体幅方向の中央位置にて前記下端部から後方斜め上側に傾斜して取り付けられているので、クッションユニットの下端部を車幅方向中央に取り付けることにより、クッションユニットを車幅方向中央に取り付けることが可能になる。
【発明を実施するための最良の形態】
【００１６】
以下、本発明の実施の形態に係る電気自動二輪車について図面を参照して説明する。なお、以下の説明で、上下、前後、左右の方向は、運転者から見た方向をいう。
図１は、本発明の実施の形態に係るバッテリ駆動式の電気自動二輪車（Electric Vehicle）の側面図、図２は、その平面図である。なお、図２では、説明を容易にするために、図１に記載したシートレール８、フェンダカバー２１、ステップフロア１０を省略している。
【００１７】
電気自動二輪車１の車体フレームＦは、図１に示すように、前輪ＷＦを軸支するフロントフォーク２と、このフロントフォーク２に連結される操向ハンドル３を操向可能に支承するヘッドパイプ５を前端に備えている。また、車体フレームＦは、センターフレーム６と、リアフレーム７と、シートレール８とを備えている。これらのフレーム６、７、８は、図２に示すように、車体幅方向において左右対称に一対にそれぞれ構成されている。
【００１８】
センターフレーム６は、上述したヘッドパイプ５に連設されて車体後方斜め下側に延びる傾斜部６ａと、この傾斜部６ａの下端で屈曲して略水平に車体後方へ延在する水平部６ｂとで構成されている。また、センターフレーム６は、図２に示すように、左右の水平部を車幅方向で連結するクロスメンバ６ｃによって連結されている。
また、リアフレーム７は、センターフレーム６の水平部６ｂの後端から車体後方斜め上側に向けて延びる第１傾斜部７ａと、この第１傾斜部７ａの後端で屈曲する屈曲部７ｂから、第１傾斜部７ａよりも緩やかな傾斜で車体後方斜め上側に延びる第２傾斜部７ｃとで構成されている。また、第２傾斜部７ｃは、図２に示すように、車体幅方向に延びるクロスメンバ７ｄによって左右が連結されている。
さらに、シートレール８は、リアフレーム７の上側に取り付けられた略逆Ｕ字形状をなしており、リアフレーム７の屈曲部７ｂから車体前方斜め上側に延びる傾斜部８ａと、この傾斜部８ａの上端から後方へ水平に延びる水平部８ｂと、この水平部８ｂの後部からリアフレーム７の第２傾斜部７ｃに向けて後方斜め下側に延びる支持部８ｃとで構成されている。
【００１９】
センターフレーム６の水平部６ｂには、図１及び図２に示すように、詳細は後述するバッテリ９がバッテリボックス１９に収容されている。このバッテリボックス１９は、水平部６ｂの左右一対のフレームによって挟み込まれる態様で取り付けられており、バッテリボックス１９の底面は、図１に示す側面視において、水平部６ｂよりも下側に位置する。また、センターフレーム６のクロスメンバ６ｃは、車体幅方向における中央部が下側に窪んだ形状をなしており、バッテリボックス１９は、このクロスメンバ６ｃの上に載せられた状態で固定されている。
【００２０】
このバッテリボックス１９が配置された部分は、いわゆる足載せ空間Ｓの下側の部分であり、バッテリボックス１９の上側は、運転者が足を載せるためのステップフロア１０で覆われている。
【００２１】
バッテリボックス１９は、その内部にバッテリ９を収容する略直方体の箱形形状に形成されており、このバッテリボックス１９の内部にバッテリ９が左右に並べて配置される。バッテリボックス１９の前面には、ボックス内部に外気を取り込むための空気導入ダクト２０が左右にそれぞれ設けられている。一方、バッテリボックス１９の後面には、取り込んだ外気を排出する排出口２０ｂが形成されている。
これにより、導入口２０ａから取り込んだ外気によってバッテリ９を空気冷却し、冷却後の空気を排出口２０ｂから排出することができるようになっている。
【００２２】
リアフレーム７には、図１に示すように、センターフレーム６との連接部の近傍であって屈曲部７ｂの下側に、車体後方へ突出するピボットプレート１１が左右のそれぞれに設けられている。この左右のピボットプレート１１には、ピボット軸１２が車幅方向に亘って貫通して設けられている。このピボット軸１２には、スイングアーム１３の前端部が取り付けられており、このピボット軸１２を中心にスイングアーム１３が上下に回動するようになっている。
【００２３】
スイングアーム１３は、車体幅方向のほぼ中央に位置するクッションユニット１４によってリアフレーム７の第２傾斜部７ｃと連結されている。より詳細には、リアフレーム７のクロスメンバ７ｄの車体幅方向中央位置には、支持ブラケット１５が取り付けられており、この支持ブラケット１５にクッションユニット１４の上端部１４ａが取り付けられている。一方、クッションユニット１４の下端部１４ｂは、この上端部１４ａよりも車体前側であってスイングアーム１３の前側下部のクッション取付部１３ｃ（図３参照）に取り付けられている。このように取り付けられたクッションユニット１４は、その全体がピボット軸１２側に寄って取り付けられるようになる。これにより、スイングアーム１３の後端部で支持する後輪ＷＲの上下振動をこのクッションユニット１４で吸収している。
また、クッションユニット１４は、図１に示すように、下端部１４ｂから後方斜め上側に傾斜する態様で取り付けられるようになる。
【００２４】
スイングアーム１３の前側先端部には、ピボット軸１２に回動可能に取り付けられる回動支持部１３ｂが車体幅方向の左右に離間する態様で一対設けられている。このスイングアーム１３は、ピボット軸１２に取り付けられた状態で、ピボット軸１２（回動支持部１３ｂ）から後輪ＷＲを避けるように車体後方斜め左側に斜めに延びた後（傾斜部）、後輪ＷＲの左側に沿って車体後方まで延在している。このスイングアーム１３の後部には、車幅方向に延びる後輪軸１７が設けられており、この後輪軸１７に後輪ＷＲが回転自在に片持ち支持されている。
【００２５】
なお、図１及び図２において、符号４１は車体前方を照らすヘッドライト、４２はシートレール８の水平部８ｂに取り付けられた乗員シート、４３はリアフレーム７の後端部に取り付けられたブレーキランプ、４４はその下側に位置するリフレクタである。
【００２６】
図３は、図１のＩＩＩ―ＩＩＩ断面図であって、スイングアーム１３を単体で示す平面図である。また、図４は、図３の左側面図（図３のＡ方向から見た図）であって、図３に記載した左側カバー２６を取り外した状態を示すものである。さらに、図５は、図３を車体前側（図３のＢ方向）から見た図である。
スイングアーム１３は、図３に示すように、車体前後方向に延在する仕切壁２５ａを有する本体部２５と、この本体部２５の左側面を覆う左側カバー２６と、本体部２５の右側面を覆う右側カバー２７とを組み立てて構成されている。
【００２７】
スイングアーム１３の内部には、車体左側（車体外側）に位置する機器取付空間２３、及び車体右側（車体内側）に位置する空気導入空間２４の２つの空間が形成されている。これらの空間２３、２４は、上述した仕切壁２５ａによって車体幅方向の左右に画成されており、車体前後方向に延びる態様で構成されている。
また、機器取付空間２３の左側面は、上述した左側カバー２６をボルト等で着脱可能に取り付けることによって塞がれており、空気導入空間２４の右側面は、上述した右側カバー２７を同様にボルト等で着脱可能に取り付けることによって塞がれている。
【００２８】
機器取付空間２３には、後輪ＷＲを駆動するための動力発生モータ１６、及びこの動力発生モータ１６を制御するためのＰＤＵ１８（Power Drive Unit）が収容されている。これらの動力発生モータ１６及びＰＤＵ１８は、左側カバー２６を取り外すことでメンテナンスができるようになっている。
【００２９】
動力発生モータ１６は、図３に示すように、スイングアーム１３の後部に配置されており、仕切壁２５ａに形成された動力発生モータ取付部３３に着脱可能に取り付けられている。動力発生モータ１６の駆動軸１６ａは、後輪ＷＲの後輪軸１７と略平行に配置されており、仕切壁２５ａを貫通して機器取付空間２３側から空気導入空間２４側まで突出している。この駆動軸１６ａ上には、駆動ギヤ２９が設けられており、後輪軸１７上に設けられた減速ギヤ３０と歯合している。この駆動ギヤ２９は、減速ギヤ３０と比して小径であり、１段減速する態様で動力発生モータ１６の駆動力を後輪軸１７に伝達している。
【００３０】
また、本体部２５には、この駆動ギヤ２９、減速ギヤ３０等の動力伝達部分を覆うようにギヤカバー３４が取り付けられている。このギヤカバー３４は、上述した動力伝達部分が配置された駆動力伝達空間３１と空気導入空間２４とを画成するものであり、この駆動力伝達空間３１内を密閉して、駆動力伝達空間３１に潤滑オイルを保持できるようにしている。
また、ギヤカバー３４には、ドラムブレーキユニット３５を作動させるためのピン部材３６が設けられている。このドラムブレーキユニット３５は、左側の操向ハンドル３に取り付けられたブレーキハンドル３９を操作することによって動作する。詳細には、ブレーキハンドル３９の操作によって、図４に示すブレーキワイヤ３７を介してブレーキレバー３８が回動し、ブレーキレバー３８に取り付けられたピン部材３６が操作されることによって後輪ＷＲのブレーキが作動するようになる。
【００３１】
ＰＤＵ１８は、図２及び図３に示すように、動力発生モータ１６よりも前側に配置されており、仕切壁２５ａに形成されたＰＤＵ取付面３２にボルト等で着脱可能に取り付けられている。このＰＤＵ１８の内部には、図示しない駆動回路、コンデンサ、ヒートシンクなどが収容されている。
また、ＰＤＵ１８は、図示しない配線によってバッテリ９と接続されており、バッテリ９からＰＤＵ１８へ電力が送られるようになっている。また、ＰＤＵ１８は、制御プログラム等が格納された図示しないＥＣＵ（Electric Control Unit）とも配線によって接続され、ＥＣＵからＰＤＵ１８へ制御信号が送られるようになっている。さらに、ＰＤＵ１８は、図示しない配線によって動力発生モータ１６とも接続されており、ＰＤＵ１８から動力発生モータ１６へ電力及び制御信号が送られるようになっている。なお、上述したＥＣＵは、車体側に取り付けられている。
【００３２】
ＰＤＵ１８のこれらの駆動回路等は、他の部品と比較して熱を多く発生する。そのため、このＰＤＵ１８は、仕切壁２５ａのＰＤＵ取付面３２にできるだけ大きな面積で密着するように取り付けられており、駆動回路等から生じる熱を仕切壁２５ａへ熱伝導させて、放熱させている。
【００３３】
一方、空気導入空間２４には、仕切壁２５ａから複数のフィン４０が突出しており、ＰＤＵ１８から仕切壁２５ａへと熱伝導した熱がさらにフィン４０へと熱伝導するようになっている。
【００３４】
この空気導入空間２４には、その前端部に前側開口部１３ａが形成されている。この前側開口部１３ａには、空気導入空間２４内に空気を送り込むための冷却ファン２２が取り付けられている。この冷却ファン２２は、図１に示す側面視において、上述したバッテリボックス１９とＰＤＵ１８の間に配置されており、バッテリボックス１９内部の空気を排出口２０ｂから吸い込む機能も有している。すなわち、バッテリボックス１９の排出口２０ｂと、スイングアーム１３の前側開口部１３ａは、車体幅方向及び高さ方向においてほぼ一致し、それぞれの開口が対向するように配置されており、排出口２０ｂから排出される空気が冷却ファン２２によって効率よく前側開口部１３ａの中に取り込まれるようになっている。
【００３５】
また、仕切壁２５ａの動力発生モータ１６が取り付けられる部分には、空気導入空間２４と機器取付空間２３とが連通する空気穴が形成されている。これにより、前側開口部１３ａから取り込まれた空気は、空気導入空間２４を通過した後に、上述した空気穴から動力発生モータ１６内へと流れ、動力発生モータ１６の内部を空気冷却した後に大気へと排出される。
【００３６】
また、スイングアーム１３には、図３に示すように、ピボット軸１２（回動支持部１３ｂ）から後輪ＷＲを避けるように車体後方斜め左側に斜めに延びる部分（傾斜部）の右側であって、車体幅方向の中央部にクッションユニット１４の下端部１４ｂを取り付けるためのクッション取付部１３ｃが設けられている。このクッション取付部１３ｃは、スイングアーム１３の高さ方向の下側部に配置されている。
このクッション取付部１３ｃの位置には、通常、発熱部品を収容したＰＤＵ１８を配置し、外気によって空気冷却するようにしているが、本実施の形態では、このＰＤＵ１８をスイングアーム１３の中空内部の機器取付空間２３に配置し、発熱を本体部２５を介して空気導入空間２４で放熱するようにしている。そして、このクッション取付部１３ｃを車体中央部に設けるようにしている。
【００３７】
なお、これらの動力発生モータ１６、ＰＤＵ１８、及び冷却ファン２２は、スイングアーム１３の揺動に合わせて後輪ＷＲと一緒に上下に揺動することになる。
また、スイングアーム１３の下側には、図５に示すように、メインスタンド４５を支持するための取付部４６が車体幅方向の左右に離間する態様で一対形成されている。これにより、メインスタンド４５は、取付部４６の取付穴４６ａに挿通される取り付けピン４６ｂ（図１参照）によってスイングアーム１３に取り付けられ、スイングアーム１３と一緒に揺動することになる。
【００３８】
図６は、スイングアーム１３の本体部２５を左側（機器取付空間２３側）から見た側面図、図７は、本体部２５を右側（空気導入空間２４側）から見た側面図である。また、図８は、左側カバー２６を本体部２５側から見た正面図であり、図９は、右側カバー２７を本体部２５側から見た正面図である。
【００３９】
本体部２５は、熱伝導性に優れたアルミニウム材を用いて鋳造により成型されており、図６及び図７に示すように、上述した仕切壁２５ａと、この仕切壁２５ａの上下を挟むように上面部２５ｂ、下面部２５ｃとが一体に形成されている。
仕切壁２５ａは、スイングアーム１３の車体前後方向への形状に沿って延びており、図６に示すように、機器取付空間２３側にＰＤＵ取付面３２と、動力発生モータ取付部３３とが形成されている。このＰＤＵ取付面３２は、スイングアーム１３が車体中央部から側方に向かって斜めに延びる部分（図２及び図３参照）に位置しており、このＰＤＵ取付面３２も車体前方から後方に向かうに従い車体中央から側方へ斜めに傾斜する態様で形成されている。また、ＰＤＵ取付面３２及びＰＤＵ１８の固定面とは、それぞれが略平坦な面で形成されており、ＰＤＵ１８の固定面がＰＤＵ取付面３２とが密着し、かつ、その接触面積が大きくなって熱伝導性が高くなるようにしている。このＰＤＵ取付面３２の四隅には、ＰＤＵ１８をねじ等で固定するためのＰＤＵ取付穴５１がそれぞれ設けられている。
【００４０】
また、動力発生モータ取付部３３には、空気導入空間２４と機器取付空間２３とが連通する複数の空気穴５０と、この複数の空気穴５０から入り込む空気を動力発生モータ１６の円周方向に案内する空気案内壁５２と、動力発生モータ１６の駆動軸１６ａを通す貫通穴５３とが形成されている。また、この貫通穴５３の周囲には、上述した動力発生モータ１６を取り付けるための取付穴５４が設けられている。
【００４１】
複数の空気穴５０は、上述したギヤカバー３４が覆う駆動力伝達空間３１（図３参照）の外側に位置し、貫通穴５３を中心に円弧状になるように並べて形成されており、この部分で空気導入空間２４と機器取付空間２３とを連通させている。これらの空気穴５０によって、空気導入空間２４側を流れる空気が、動力発生モータ１６側へと流れ込むようになっている。
【００４２】
空気案内壁５２は、図６に示すように、略円弧状に形成されており、動力発生モータ１６側へ流れた空気（図６に矢印Ｈで示す）を、動力発生モータ取付部３３の周方向に左斜め下側から右斜め下側まで時計の回転方向へと案内する排出通路Ｋを形成している。これにより、空気穴５０から流入した空気は、動力発生モータ１６の図示しないステータを冷却した後に、排出経路Ｋを通過して、本体部２５の下側に位置する空気排出口５５から放出されるようになる。
【００４３】
このような空気案内壁５２の形状は、空気を動力発生モータ１６の周方向に沿って案内することで車体外部の雨水や埃が空気排出口５５から動力発生モータ取付部３３へと入り込まないようにするものである。
なお、この空気排出口５５の近傍にラビリンス構造の防水フィンを付けることで、空気排出口５５から雨水や塵埃が動力発生モータ取付部３３へより入り込み難くすることもできる。
【００４４】
また、仕切壁２５ａには、図７に示すように、仕切壁２５ａから空気導入空間２４側（機器取付空間２３と反対側）に突出する複数のフィン４０が一体に形成されている。この複数のフィン４０は、前側開口部１３ａから動力発生モータ取付部３３の裏側付近を通り、動力発生モータ１６の外形である円周に沿って弧を描くように湾曲した後に、複数の空気穴５０まで延在している。このフィン形状は、前側開口部１３ａから取り込んだ空気を隣り合うフィン４０の間を通過させて、それぞれの空気穴５０まで案内する機能を果たす。また、ＰＤＵ取付面３２の裏側部分から、動力発生モータ取付部３３の裏側部分まで延在することで、これらの部分に対応する仕切壁２５ａから効果的に熱を吸収し放熱させる機能を果たしている。さらに、複数のフィン４０を設けてより大きな面積で空気と接するようにすることで仕切壁２５ａから効果的に放熱させる機能を果たしている。
さらに、仕切壁２５ａには、図７に示すように、後輪軸１７の左端部に取り付けられるベアリングを支持する受け部５７が形成されている。
【００４５】
一方、図６に示すように、機器取付空間２３側から見て、上面部２５ｂ及び下面部２５ｃの縁部５６には、左側カバー２６を取り付けるための複数の取付穴５８が形成されている。これに対応し、図８に示すように、左側カバー２６の内側面の周縁部５９にも、取付穴５８と対応する位置に、左側カバー２６の外側面に貫通する取付穴６０が形成されている。左側カバー２６は、この取付穴６０にボルト等を挿通させ、このボルト等を取付穴５８に螺合させることにより、本体部２５と着脱可能に取り付けられる。
この左側カバー２６は、熱伝導性の良いアルミニウム鋳物で一体成型してもよく、樹脂の成形品で一体成型してもよい。
【００４６】
同様に、図７に示すように、空気導入空間２４側から見て、上面部２５ｂ及び下面部２５ｃの縁部６１及び本体部２５の中央部にも、右側カバー２７を取り付けるための複数の取付穴６２が形成されている。これに対応し、図９に示すように、右側カバー２７の内側面の周縁部６３及び中央部にも、取付穴６２と対応する位置に、右側カバー２７の外側面に貫通する取付穴６４が形成されている。右側カバー２７は、この取付穴６４にボルト等を挿通させ、このボルト等を取付穴６２に螺合させることにより、本体部２５と着脱可能に取り付けられる。
また、右側カバー２７の後端部２７ａは、図９に示すように、組み付けられた状態で後輪軸１７を避けるように、略円弧状に凹んだ形状に形成されている。
この右側カバー２７は、熱伝導性の良いアルミニウム鋳物で一体成型してもよく、樹脂の成形品で一体成型してもよい。
【００４７】
一方、下面部２５ｃであって本体部２５の前側下部には、図６及び図７に示すように、上述したメインスタンド４５を取り付けるための取付穴４６ａが形成されている。
【００４８】
本発明の実施の形態に係る電気自動二輪車によれば、車体前後方向に延びる車体フレームＦにピボット軸１２が取り付けられ、このピボット軸１２を中心に回動するスイングアーム１３にパワードライブユニット１８及び走行用の動力発生モータ１６を取り付け、スイングアーム１３とリアフレーム７（詳細には、第２傾斜部７ｃ）とをクッションユニット１４で接続し、バッテリ９からの電源をパワードライブユニット１８を介して動力発生モータ１６に供給するようにし、リアフレーム７側にクッションユニット１４の上端部１４ａが取り付けられ、クッションユニット１４の下端部１４ｂをスイングアーム１３の前部であって、クッションユニット１４の上端部１４ａよりも車体前後方向前側に配置しているので、クッションユニット１４の下端部１４ｂを後輪ＷＲの前方であって車体幅方向の中央部に配置することができる。そのため、クッションユニット１４の上端部１４ａを車体幅方向の中央部に寄せて配置することによって、クッションユニット１４全体を車体中央部に配置することができる。その結果、クッションユニット１４によって効果的に後輪ＷＲの上下振動を吸収することができる。
【００４９】
また、クッションユニット１４の下端部１４ｂを基点として上端部１４ａを車体後方側に配置しているので、現行で使用しているクッションユニット１４を全長を変えずにそのまま使用することができる。
さらに、クッションユニット１４の下端部１４ｂをスイングアーム１３の下部に配置しているので、クッションユニット１４の全長を変えない場合に、クッションユニット１４の上端部１４ａをリアフレーム７に取り付ける際の取付位置を容易に決定することができる。
【００５０】
また、比較的に重量のあるクッションユニット１４を車体中央に配置することで、車体の左右の重量をバランス良くすることができる。さらには、クッションユニット１４全体をピボット軸１２側に寄せて配置することで、車体中央へ重量物を集中させることができ、電気自動二輪車１の操縦性が向上する。
【００５１】
また、スイングアーム１３は、ピボット軸１２から後輪ＷＲを避けるように車体幅方向の側方に斜めに延びる傾斜部を備え、この中空形状のスイングアーム１３内の傾斜部にＰＤＵ１８を配置するとともに、傾斜部よりも車体内側にスイングアーム１３の下端部１４ｂを取り付けているので、ＰＤＵ１８を車体幅方向の側方にずらして配置することができる。そのため、スイングアーム１３の下端部１４ｂを車体内側に取り付けることができ、クッションユニット１４全体を車体幅方向の中央部に配置することができる。
【００５２】
さらに、ＰＤＵ１８は、スイングアーム１３の本体部２５に密着して取り付けられ、ＰＤＵ１８で生じる熱を本体部２５に熱伝達可能に構成されているので、ＰＤＵ１８をスイングアーム１３の中空内部（機器取付空間２３）に取り付けたとしても、本体部２５を介して熱を放熱させることができる。そのため、ＰＤＵ１８をスイングアーム１３の傾斜部の中空内部に配置することができる。その結果、この傾斜部よりも車体内側にスイングアーム１３の下端部１４ｂを配置することができるので、クッションユニット１４全体を車体幅方向の中央部に配置することができる。
【００５３】
また、フレームＦは、少なくともヘッドパイプ５から車体前後方向に延びるセンターフレーム６と、このセンターフレームの後端から車体後方に延びる左右一対のリアフレーム７とを有し、このリアフレーム７には、左右を繋ぐクロスメンバ７ｄが設けられ、このクロスメンバ７ｄの車幅方向中央の位置に、クッションユニット１４の上端部１４ａを取り付ける支持ブラケット１５を設けているので、クッションユニット１４の上端部１４ａを車幅方向中央に取り付けることにより、クッションユニット１４を車幅方向中央に取り付けることが可能になる。
【００５４】
さらにまた、クッションユニット１４の下端部１４ｂは、スイングアーム１３の前部下方であって、車幅方向中央に位置する箇所に取り付けられ、クッションユニット１４が車体幅方向の中央位置にて下端部１４ｂから後方斜め上側に傾斜して取り付けられているので、クッションユニット１４の下端部１４ｂを車幅方向中央に取り付けることにより、クッションユニット１４を車幅方向中央に取り付けることが可能になる。
【図面の簡単な説明】
【００５５】
【図１】本発明の実施の形態における電気自動二輪車の側面図である。
【図２】図１の平面図である。
【図３】図１のＩＩＩ−ＩＩＩ断面図であって、スイングアームを単体で示す図である。
【図４】図３の右側面図である。
【図５】図３を車体前側から見た図である。
【図６】本体部を機器取付空間側から見た側面図である。
【図７】本体部を空気導入空間側から見た側面図である。
【図８】左側カバーの正面図である。
【図９】右側カバーの正面図である。
【符号の説明】
【００５６】
１  電気自動二輪車
２  フロントフォーク
３  操向ハンドル
５  ヘッドパイプ
６  センターフレーム
７  リアフレーム
８  シートレール
９  バッテリ
１０  ステップフロア
１１  ピボットプレート
１２  ピボット軸
１３  スイングアーム
１３ａ  前側開口部
１３ｂ  回動支持部
１３ｃ  クッション取付部
１４  クッションユニット
１４ａ  上端部
１４ｂ  下端部
１５  支持ブラケット
１６  動力発生モータ
１６ａ  駆動軸
１７  後輪軸
１８  ＰＤＵ（パワードライブユニット）
１９  バッテリボックス
２０  空気導入ダクト
２１  フェンダカバー
２２  冷却ファン
２３  機器取付空間
２４  空気導入空間
２５  本体部
２９  駆動ギヤ
３０  減速ギヤ
３１  駆動力伝達空間
３２  ＰＤＵ取付面
３３  動力発生モータ取付部
３４  ギヤカバー
３５  ドラムブレーキユニット
３６  ピン部材
４０  フィン
４５  メインスタンド
４６  支持部
４７  ブラケット
５０  空気穴
５１  ＰＤＵ取付穴
５２  空気案内壁
５３  貫通穴
５４  取付穴
５５  空気排出口
Ｆ  車体フレーム
Ｓ  足載せ空間
ＷＦ  前輪
ＷＲ  後輪
【図１】
2010083363.tif 000003
【図２】
2010083363.tif 000004
【図３】
2010083363.tif 000005
【図４】
2010083363.tif 000006
【図５】
2010083363.tif 000007
【図６】
2010083363.tif 000008
【図７】
2010083363.tif 000009
【図８】
2010083363.tif 000010
【図９】
2010083363.tif 000011